(57)【要約】【課題】口腔周囲組織の負担軽減や口への浸水防止効果を高め、破損や呼吸抵抗の発生を抑制した上で、一部歯を失ったダイバーにも容易に利用できるような水中装置用マウスピースを提供する【解決手段】前歯部から大臼歯部にかけて、咬合面および外、内側面を被覆し上顎歯列弓形態に適合するよう成型された上顎歯列収容部および気体導入用筒部を設けて成る水中呼吸装置用マウスピースと、この気体導入用筒部に着脱が可能な硬度の低いフレンジ部より構成される。また上顎歯列収容部下面に設けられたバイト部は前方に移行するに従い厚みを増す形態となっており、その内部には硬度の高い球状または板状の構造体が埋入されている。【選択図】  図６
2008220706.tif 000002
【特許請求の範囲】
【請求項１】
各ダイバーの前歯部から大臼歯部にかけて、歯の咬合面および外、内側面を被覆し上顎歯列弓形態に適合するよう成型された上顎歯列収容部および空気の吸入口である気体導入用筒部を設けて成る、ゴム状弾性材を材料とした水中呼吸装置用マウスピース
【請求項２】
各ダイバーの前歯部から大臼歯部にかけて、歯および歯肉の外側面と口唇および頬の内側面に挟みこまれる板状の構造体であるフレンジ部が、請求項１の水中呼吸装置用マウスピースに着脱できることを特徴とした水中呼吸装置用マウスピース
【請求項３】
各ダイバーの前歯部から大臼歯部にかけて、歯および歯肉の外側面と口唇および頬の内側面に挟みこまれる板状の構造体である請求項２のフレンジ部が、請求項１の水中呼吸装置用マウスピースよりも硬度の低いゴム状弾性材料よりなることを特徴とする水中呼吸装置用マウスピース
【請求項４】
請求項１の水中呼吸装置用マウスピースの上顎歯列収容部において、各ダイバーによって咬合保持される部位であるバイト部に、請求項１の水中呼吸装置用マウスピースよりも硬度の高いゴム状弾性材料よりなる球状または板状の構造体が埋入されていることを特徴とする水中呼吸装置用マウスピース
【請求項５】
請求項１の水中呼吸装置用マウスピースの上顎歯列収容部において、各ダイバーによって咬合保持される部位であるバイト部が、前方に移行するに従って厚みを増す形態を備える水中呼吸装置用マウスピース
【請求項６】
水中呼吸装置用マウスピースが、シュノーケル用のものであることを特徴とする、請求項１から請求項５までのいずれかに記載の水中呼吸装置用マウスピース
【請求項７】
水中呼吸装置用マウスピースが、スキューバダイビング用のものであることを特徴とする、請求項１から請求項５までのいずれかに記載の水中呼吸装置用マウスピース
【発明の詳細な説明】
【技術分野】
【０００１】
本技術は水中での呼吸のために使用される呼吸装置に具備される水中呼吸装置用マウスピースに属する
【背景技術】
【０００２】
現在スキューバダイビングやシュノーケリングなど、水中で呼吸をする際に水中呼吸装置用マウスピースを口腔内に装着することにより、呼吸装置を固定して呼吸する方法が主流となっている。この水中で呼吸するための水中用シュノーケルまたはダイビング用呼吸回路に付属する水中呼吸装置用マウスピースには、一般に、シリコーンゴムやビニール、熱可塑性樹脂などのゴム状弾性材料が用いられている。またその形態は唇にはさまれる短い楕円形の気体導入用筒部と、各ダイバーの歯および歯肉の外側面と口唇および頬の内側面に挟みこまれる板状の構造体であるフレンジ部から構成され、フレンジ部には先端のひろがった二つの突起がついている。
【０００３】
ダイバーはこの突起をバイト部として、犬歯または小臼歯でかんだうえで、この突起の先端にある広がりの部分をオクルーザルラグ部として、歯の内側面に接触させて保持し、さらにフレンジ部を口唇や頬によって押さえ込んでマウスピースを支える構造となっている。また、フレンジ部は、水中において口に水が入ってこないよう防水シールの役割も果たす。
【０００４】
通常、フレンジ部は水中呼吸装置用マウスピースの他の部位と同一の単一材料からなり既成の形態を有する。またフレンジから突出しダイバーによって咬合されるバイト部は、水中呼吸装置用マウスピースの他の部位と同一の単一材料からなり、４ｍｍ前後の厚みで上歯接触面と下歯接触面は水平で同形の平面状である。
【０００５】
現在、この水中呼吸装置用マウスピースには、個人の歯列弓形態に適合させて形成され、左右奥部に個人の上下全臼歯部による咬合形態に形成された咬持用のバイト部を備えたものがある（特許文献１参照）。
【０００６】
さらに、水中呼吸装置用マウスピースの一部を前歯内側でも保持できるように設備したものがある（特許文献２参照）。
【０００７】
【特許文献１】特開平１０−１６７１７９
【特許文献２】特開２００４−３３１０３１
【発明の開示】
【発明が解決しようとする課題】
【０００８】
この水中呼吸装置用マウスピースをダイビング中に口腔内に保持するために長時間強くかみ締め続ける必要があり、このことが顎関節症や頭痛などの病的状態を誘起する原因となる。また特許文献１および特許文献２を含む、現在流通する水中呼吸装置用マウスピースは、ダイバーの前歯部または臼歯部の内側面の一部にオクルーザルラグ部を設定し接触させることによって保持できるよう設計されているが、全歯列の内側面に連続して接触されるよう設定されているものはなく、一部歯をなくした高齢者などには保持の効果を期待できないことがある。
【０００９】
一方、各ダイバーの歯および歯肉の外側面と口唇および頬の内側面に挟みこまれる板状の構造体であるフレンジ部は、防水効果や口腔内での安定を向上させるためには大きい方が望ましいが、水中呼吸装置用マウスピースの他の部位と同一の材料を利用して大きさを拡大した場合、硬度が高すぎるために使用者の口腔内軟組織に接触して痛みを発生する原因となる。また、フレンジ部のみ硬度の低い材料を用いて水中呼吸装置用マウスピースを一括で製造した場合、製造過程が複雑になる上製造コストも上昇する。このため特許文献１および特許文献２を含む、現在流通する水中呼吸装置用マウスピースはフレンジ部の大きさを最小限にとどめている。
【００１０】
また、水中呼吸装置用マウスピースを必要以上に強くかみしめて保持するダイバーの場合、水中呼吸装置用マウスピースのバイト部に水中呼吸装置用マウスピースの他の部位と同一の材料を利用すると、硬度が低すぎるため咬合力により大きく変形して口が小さく閉じることとなり、これが呼吸抵抗を増大させて酸欠などの症状を引き起こす原因となる。
【００１１】
さらに、通常マウスピースをかんで支える場合、上の歯と下の歯の間に生じる間隙は、小臼歯部よりも大臼歯部の方が小さくなる。このためバイト部の厚みが均一である場合、バイト部にかかる力は大臼歯部の方が大きくなり、この不均一にかかる力がバイト部の破損を誘起する。これらの問題は水中での水中呼吸装置用マウスピースの口腔内からの脱離を誘発し、この脱離の恐怖感からくる心身症や過喚起症候群、ひいては溺死などの水難事故を誘発する原因ともなる。
【課題を解決するための手段】
【００１２】
本発明は、発明が解決しようとする課題を解決するため、口腔周囲組織への負担を軽減しつつ、歯を一部失くした使用者にも容易に保持できるようにした上で、防水効果の向上、破損や呼吸抵抗発生の防止が可能となる水中呼吸装置用マウスピースを開発したものであり、すなわち下記の発明からなるものである。
各ダイバーの前歯部から大臼歯部にかけて、歯の咬合面および外、内側面を被覆し上顎歯列弓形態に適合するよう成型された上顎歯列収容部および空気の吸入口である気体導入用筒部を設けて成る、ゴム状弾性材を材料とした水中呼吸装置用マウスピース
各ダイバーの前歯部から大臼歯部にかけて、歯および歯肉の外側面と口唇および頬の内側面に挟みこまれる板状の構造体であるフレンジ部が、請求項１の水中呼吸装置用マウスピースに着脱できることを特徴とした水中呼吸装置用マウスピース
各ダイバーの前歯部から大臼歯部にかけて、歯および歯肉の外側面と口唇および頬の内側面に挟みこまれる板状の構造体である請求項２のフレンジ部が、請求項１の水中呼吸装置用マウスピースよりも硬度の低いゴム状弾性材料よりなることを特徴とする水中呼吸装置用マウスピース
請求項１の水中呼吸装置用マウスピースの上顎歯列収容部において、各ダイバーによって咬合保持される部位であるバイト部に、請求項１の水中呼吸装置用マウスピースよりも硬度の高いゴム状弾性材料よりなる球状または板状の構造体が埋入されていることを特徴とする水中呼吸装置用マウスピース
請求項１の水中呼吸装置用マウスピースの上顎歯列収容部において、各ダイバーによって咬合保持される部位であるバイト部が、前方に移行するに従って厚みを増す形態を備える水中呼吸装置用マウスピース
水中呼吸装置用マウスピースが、シュノーケル用のものであることを特徴とする、請求項１から請求項５までのいずれかに記載の水中呼吸装置用マウスピース
水中呼吸装置用マウスピースが、スキューバダイビング用のものであることを特徴とする、請求項１から請求項５までのいずれかに記載の水中呼吸装置用マウスピース
【発明の効果】
【００１３】
上記に記載される本発明によれば、前歯部から大臼歯部までの上顎全歯列内側面に連続したオクルーザルラグ部が設定されるため、上顎全歯列内側面を利用して水中呼吸装置用マウスピースを保持できるようになる。これにより、水中呼吸装置用マウスピースを保持するための咬合力が軽減されるため、顎関節症や頭痛などの病的症状の発生を防止し口腔周囲組織の負担を軽減することができるようになるとともに、歯を一部なくした高齢者などにも容易に保持することができるようになる。
【００１４】
また、各ダイバーの前歯部から臼歯部にかけて、歯および歯肉の外側面と口唇および頬の内側面に挟みこまれる板状の構造体であるフレンジ部を着脱可能とすることにより、水中呼吸装置用マウスピースの他の部位と硬度の異なるゴム状弾性材料を利用して、安価で容易に製造することができるようになる上、口腔内軟組織に接触しても痛みを感じることのない硬度の低いフレンジ部を十分拡大することができるようになる。これにより口唇の力を効率よく利用することができるようになり口腔周囲組織の負担を軽減することができるようになるとともに、防水効果の向上を図ることができるようになる。
【００１５】
さらに、マウスピースを強くかんでしまうダイバーの場合にも、バイト部に硬度の高い球状または板状の構造体が埋入されているために、咬合力による重大な変形が起こりにくくなり呼吸抵抗の増大を防止できる。
【００１６】
その上、バイト部が前方に移行するほど厚みを増す形態であるために、バイト部に均一な咬合力がかかるようになり、バイト部の破損を防止することができるようになる。
【発明を実施するための最良の形態】
【００１７】
本発明による水中呼吸装置用マウスピースは、図１に示すごとく、上顎歯列弓形態に適合するよう成型された上顎歯列収容部１および空気が口に導入される気体導入用筒部４を備える形状を有するものである。本発明の水中呼吸装置用マウスピースは図１、図２に示すごとく、上顎歯列収容部４として上顎歯列弓の前歯部から大臼歯部までの外側面を被覆する４a、内側面を被覆する４c、咬合面を被覆する４bを備える。ダイバーはこの上顎歯列収容部に上顎歯列弓を適合させて水中呼吸装置用マウスピースを装着することによって前歯部から大臼歯部までの上顎全歯列内側面を水中呼吸装置用マウスピースの保持に利用できるようになる。
【００１８】
またダイバーは本発明による水中呼吸装置用マウスピースを装着する際、４b下面の犬歯部から大臼歯部まで設定された４dをバイト部として咬合する。バイト部４ｄには図１に示す本発明による水中呼吸装置用マウスピースに利用される材料よりも硬度の高い球状または板状の構造体５が埋入されており、咬合力によるバイト部の変形を抑制し呼吸抵抗の増加やバイト部の破損を抑制する効果を発揮する。
【００１９】
さらにバイト部４ｄは前方に移行するに従って厚みを増す形態を備えており、これにより咬合によってバイト部に加わる荷重を均一化し、バイト部の破損を抑制する効果を発揮する。
【００２０】
一方、本発明による水中呼吸装置用マウスピースは、図１に示す気体導入用筒部１にフレンジ部７が着脱可能であることを特徴とする。本発明の水中呼吸装置用マウスピースは図３、図４、図５に示すごとく、フレンジ固定用溝３にフレンジ固定用溝３に適合する凸部８が勘合するような形態を備えており、気体導入用筒部に着脱するための挿入孔９に図１に示す気体導入用筒部１を前方より差し込む形で着脱することができる。これにより製造過程においてフレンジ部７を、図１に示す本発明による水中呼吸装置用マウスピースと別に製造できるようになるため、硬度の異なる材料を利用してフレンジ部７を容易に製造できるようになり、歯肉や頬などの口腔内軟組織に当たっても痛みのない硬度の低いフレンジ部７を十分に拡大して水中呼吸装置用マウスピースの口腔内での安定および、防水効果を向上させることができるようになる。
【００２１】
また、図１に示す本発明による水中呼吸装置用マウスピースや、バイト部４ｄに埋入される球状または板状の構造体５、および図４に示すフレンジ部７を構成する材料については、様々な硬度が利用できるゴム状弾性材料、例えばシリコーンゴムなどが適当である。
【実施例】
【００２２】
本発明の水中呼吸装置用マウスピースの使用に当たっての実施例を詳説する。水中呼吸装置用マウスピースは、先ず上顎歯列弓形態に適合するよう成型された上顎歯列収容部４を上顎歯列に適合させつつ口腔内に装着し、粘膜に接触して痛みのある部分や、違和感を強く感じる部分である４a４cおよび４b後端部分をはさみで切り取る。また歯列不正などで上顎歯列弓形態に適合するよう成型された構造体が装着できない場合は、その４aまたは４c部にはさみで切れ込みを入れて装着できるように調整する。
【００２３】
次にフレンジ７のフレンジ固定用溝３に適合する凸部８を気体導入用筒部に設けられたフレンジ部固定用溝３に適合させて取り付けた後、口腔内に装着し、歯肉や頬に接触して痛みを感じたり違和感を感じるフレンジ部７辺縁をはさみで切り取り調整する。
【００２４】
ダイバーは、調整の完了した水中呼吸装置用マウスピースの犬歯部から大臼歯部まで設定されたバイト部４ｄを咬合した上で、フレンジ部７を歯および歯肉の外側面と口唇および頬の内側面の間隙に挿入して口唇または頬にて保持し、全歯列の内側面に設定された４ｃ部を上顎全歯列内側面にて保持することで、水中呼吸装置用マウスピースを口腔内に安定して保持することが可能となる。
【００２５】
さらに、必要に応じて上顎歯列弓形態に適合するよう成型された上顎歯列収容部４の内面に常温硬化型のシリコーンゴムを流し込んだ上で再度口腔内に装着し、咬合保持した状態で硬化させ、より適合度の高い水中呼吸装置用マウスピースに成型することができる。
【図面の簡単な説明】
【００２６】
【図１】本発明の水中呼吸装置用マウスピース本体の上面斜視図
【図２】本発明の水中呼吸装置用マウスピースの下面斜視図
【図３】図１の線ＡＡ´に沿ってとった断面図
【図４】本発明の水中呼吸装置用マウスピース本体に着脱するフレンジ部
【図５】図４の線ＢＢ´に沿ってとった断面図
【図６】フレンジ部７を装着した状態での水中呼吸装置用マウスピース上面斜視図
【符号の説明】
【００２７】
１  気体導入用筒部
２  レギュレター固定用溝
３  フレンジ部固定用溝
４  上顎歯列収容部
４a歯列弓形構造体外枠４b歯列弓形構造体下枠４c歯列弓形構造体内枠４dバイト部
５  バイト部４ｄに埋入された球状構造体
６  マウスピース下部外枠
７  フレンジ部
８  フレンジ固定用溝３に適合する凸部
９  気体導入用筒部に着脱するための挿入口
【図１】
2008220706.tif 000003
【図２】
2008220706.tif 000004
【図３】
2008220706.tif 000005
【図４】
2008220706.tif 000006
【図５】
2008220706.tif 000007
【図６】
2008220706.tif 000008